(57)【要約】      （修正有）【課題】耳掛け式イヤホンを耳に装着し、そのカバー部分に開けられた溝に本考案の先端部をはめ込み使用するもので、耳掛け式イヤホンと耳の密着度を増すことにより、外部からの雑音を軽減し、音源の本来の音に近づけることができ、持ち運び及び装着が容易であるイヤホン補助具を提供する。【解決手段】耳掛け式イヤホンのカバー部分に溝を開け、そこに先端部をはめ込み、イヤホンと耳の密着度を増すことにより、外部からの雑音を軽減し、音源の本来の音に近づけることができるとともに持ち運び及び装着が容易なイヤホン補助具を使用する。なお、上着のポケット等に入れて携行した場合、ポケット等から取り出してすぐに簡易に装着できるように、本体の材質は女性用ブラジャーに使用されているような超弾性合金とすることがより望ましいが、１６番手程度のステンレス製針金に焼きを入れたものでも充分実用性がある。【選択図】図１
0003121783.tif 000002
【実用新案登録請求の範囲】
【請求項１】
耳掛け式イヤホンのカバー部分に溝を開け、そこに両端部をはめ込み、イヤホンと耳の密着度を増すことにより、外部からの雑音を軽減し、音源の本来の音に近づけることできるとともに持ち運び及び装着が容易なイヤホン補助具。
耳掛け式イヤホンのカバー部分の溝にはめ込んだ際に本イヤホン補助具が動かないように両端にゴム等を固定する。耳掛け式イヤホンのカバー部分の溝の形と本イヤホン補助具につけるゴム等の形は同一の多角形とする。本体の材質は１６番手程度のステンレス製針金に焼きを入れたものでも充分実用性があるが、女性用ブラジャーに使用されているような超弾性合金とすることがより望ましい。
【考案の詳細な説明】
【技術分野】
【０００１】  本考案は、耳掛け式イヤホンと耳の密着度を増すことにより、外部からの雑音を軽減し、かつ、音源の本来の音に近づけることできるイヤホン補助具に関する。
【背景技術】
【０００２】  従来の耳掛け式イヤホンには、それのみで耳から落ちないように固定するものがある。（例えば特許文献１参照）【０００３】  従来のイヤホンには、ヘッドホンのヘッドバンド部分の両端にイヤホンを着脱するものがある。（例えば特許文献２参照）【０００４】  従来のイヤホンには、フレームがイヤホンに固定されたものがある。（例えば特許文献３参照）【０００５】  以下、従来のイヤホンについて説明する。
（イ）従来の耳掛け式イヤホンは、耳との密着度が低く、外部からの雑音が入り、音源の本来の音質を聞くことが困難である。
耳から安易には落ちないように耳を挟む形であるため、長時間耳に装着した場合耳が痛くなる。
（ロ）ヘッドホンのヘッドバンド部分の両端にイヤホンを着脱するものは持ち運びが容易ではない。
（ハ）フレームがイヤホンに固定されたものは持ち運びが容易でなく、耳の穴が覆われていないため外部からの雑音が入りやすい。【０００６】
【特許文献１】特開２００１−１６０９９５
【特許文献２】特開平８−４７０７５
【特許文献３】特開２００２−３１５０８４
【考案の開示】
【考案が解決しようとする課題】
【０００７】  以上に述べた従来のイヤホンでは、外部からの雑音が入り、音源の本来の音質を聞くことが困難である。あるいは、持ち運びが容易ではない。【０００８】  本考案は、このような従来の構成が有していた問題を解決するものであり、外部からの雑音を軽減し、音源の本来の音に近づけることできるとともに持ち運びが容易である。
【課題を解決するための手段】
【０００９】  本考案は、耳掛け式イヤホンのカバー部分に開けた溝にその先端部をはめ込み、イヤホンの両外側から押さえ、イヤホンと耳の密着度を増すとともに、持ち運びを容易にしたものである。
【考案の効果】
【００１０】  本考案は上記構成からなることから、以下に示す効果が期待できる。
１  外部からの雑音を軽減し、音源の本来の音に近づけることできる。
２  持ち運びが容易である。
３  着脱が容易である。
４  安価に製造できる。
【考案を実施するための最良の形態】
【００１１】  以下、本考案の実施の形態を図１、図２に基づいて説明する。
図１において、１は左右の耳掛け式イヤホンを外側から押さえるものであり、両端を所定の長さ折り曲げたものである。【００１２】  ２は耳掛け式イヤホンに作られた溝にはめ込む部分であり、１の先端に多角形のゴム等の材料を固定したものである。【００１３】  上着のポケット等に入れて携行した場合、ポケット等から取り出してすぐに簡易に装着できるように、本体の材質は女性用ブラジャーに使用されているような超弾性合金とすることがより望ましい。
なお、１６番手程度のステンレス製針金に焼きを入れたものでも充分実用性がある。
【実施例】
【００１４】  耳掛け式イヤホンを耳に装着し、そのカバー部分に開けられた溝に本考案の先端部をはめ込み使用する。
【図面の簡単な説明】
【図１】本考案を正面及び裏面から見た外観図
【図２】本考案を耳掛け式イヤホンにはめ込む外観図
【符号の説明】
１  外側から耳掛け式イヤホンを押さえる部分
２  耳掛け式イヤホンに開けられた溝にはめ込む部分
３  耳掛け式イヤホンのカバー
４  耳掛け式イヤホンのカバーに開けた溝
【図１】
0003121783.tif 000003
【図２】
0003121783.tif 000004
【手続補正書】
【提出日】平成17年11月22日(2005.11.22)
【手続補正１】
【補正対象書類名】実用新案登録請求の範囲
【補正対象項目名】全文
【補正方法】変更
【補正の内容】
【実用新案登録請求の範囲】
【請求項１】
耳掛け式イヤホンのカバー部分に先端部材を介し、湾曲したステンレス製等の弾性部材をもって前記耳掛け式イヤホンを両外側から押さえるようにしたことを特徴とするイヤホン補助具。
【手続補正２】
【補正対象書類名】明細書
【補正対象項目名】全文
【補正方法】変更
【補正の内容】
【考案の詳細な説明】
【技術分野】
【０００１】  本考案は、耳掛け式イヤホンと耳の密着度を増すことにより、外部からの雑音を軽減し、かつ、音源の本来の音に近づけることができるイヤホン補助具に関する。
【背景技術】
【０００２】  従来の耳掛け式イヤホンには、それのみで耳から落ちないように固定するものがある。（例えば特許文献１参照）【０００３】  従来のイヤホンには、ヘッドホンのヘッドバンド部分の両端にイヤホンを着脱するものがある。（例えば特許文献２参照）【０００４】  従来のイヤホンには、フレームがイヤホンに固定されたものがある。（例えば特許文献３参照）【０００５】  以下、従来のイヤホンについて説明する。（イ）従来の耳掛け式イヤホンは、耳との密着度が低く、外部からの雑音が入り、音源の本来の音質を聞くことが困難である。      耳から安易には落ちないように耳を挟む形であるため、長時間耳に装着した場合耳が痛くなる。（ロ）ヘッドホンのヘッドバンド部分の両端にイヤホンを着脱するものは持ち運びが容易ではない。（ハ）フレームがイヤホンに固定されたものは持ち運びが容易でなく、耳の穴が覆われていないため外部からの雑音が入りやすい。【０００６】
【特許文献１】特開２００１−１６０９９５
【特許文献２】特開平８−４７０７５
【特許文献３】特開２００２−３１５０８４
【考案の開示】
【考案が解決しようとする課題】
【０００７】  以上に述べた従来のイヤホンでは、外部からの雑音が入り、音源の本来の音質を聞くことが困難である。あるいは、持ち運びが容易ではない。【０００８】  本考案は、このような従来の構成が有していた問題を解決するものであり、外部からの雑音を軽減し、音源の本来の音に近づけることできるとともに持ち運びが容易である。
【課題を解決するための手段】
【０００９】  本考案は、耳掛け式イヤホンのカバー部分に開けた溝にその先端部をはめ込み、イヤホンの両外側から押さえ、イヤホンと耳の密着度を増すとともに、持ち運びを容易にしたものである。
【考案の効果】
【００１０】  本考案は上記構成からなることから、以下に示す効果が期待できる。  １  外部からの雑音を軽減し、音源の本来の音に近づけることできる。  ２  持ち運びが容易である。  ３  着脱が容易である。  ４  安価に製造できる。
【考案を実施するための最良の形態】
【００１１】  以下、本考案の実施の形態を図１、図２及び図３に基づいて説明する。  図１において、耳掛け式イヤホンのカバー部分に設けた溝に３の先端２をはめ込み、耳掛け式イヤホンを外側から押さえる。【００１２】図２は、図１のＡ部を拡大したものであり、２は耳掛け式イヤホンのカバー部分に作られた溝にはめ込む部分であり、１の先端に多角形のゴム等の材料を固定したものである。４′は耳掛け式イヤホンのカバー部分４に設けられた溝であり、２をはめ込んだ状態で回転しない形状とする。【００１３】  上着のポケット等に入れて携行した場合、ポケット等から取り出してすぐに簡易に装着できるように、本体の材質は女性用ブラジャーに使用されているような超弾性合金とすることがより望ましい。  なお、１６番手程度のステンレス製針金に焼きを入れたものでも充分実用性がある。
【実施例】
【００１４】  耳掛け式イヤホンを耳に装着し、そのカバー部分に開けられた溝に本考案の先端部をはめ込み使用する。
【図面の簡単な説明】
【図１】本考案と耳掛け式イヤホンの外観図
【図２Ａ】図１のＡ部の拡大図（各部材をはめ込んだところ）
【図２Ｂ】図１のＡ部の拡大図（各部材を取り外したところ）
【図３】溝を設けた耳掛け式イヤホンのカバー部分の正面図（図２ＢのＢ側からみた図）
【符号の説明】
１湾曲したステンレス製等の弾性部材２    耳掛け式イヤホンに開けられた溝にはめ込む先端部材３１と２からなるイヤホン補助具本体４    耳掛け式イヤホンのカバー部分（図２Ｂの上半分の斜線部分は中心点を通る垂直線における切断面を表している。）４′  ４に設けた溝５    耳掛け式イヤホン本体（カバー部分を除く部分）
【手続補正３】
【補正対象書類名】図面
【補正対象項目名】全文
【補正方法】変更
【補正の内容】
【図１】
0003121783.tif 000005
【図２Ａ】
0003121783.tif 000006
【図２Ｂ】
0003121783.tif 000007
【図３】
0003121783.tif 000008